(57)【要約】      （修正有）【課題】キーキャップに透明部を設け、さらにバックライトを設けることで、キーパターンや文字を認識し易くし、かつ、キーキャップの弾性部と回路基板の間に排気ノッチを設えることで、操作性を向上させたキーパッド構造を提供する。【解決手段】キーパッドは、基板１０と、導光板２０と、薄膜回路基板３０と、弾性部と、キーキャップ５０と、上昇機構６０とから構成される。薄膜回路基板は、弾性部が圧縮される際の排気効果を高めるべく、少なくとも１つの排気ノッチ３１を有する。導光板２０には複数のマイクロ構造が形成されており、キーパッド構造はさらに、キーキャップ上に形成されている透明層５１を備える。バックライト光源から導光板の側面に対して光が照射されると、バックライト光源から発光されて、複数のマイクロ構造によって屈折させられた光は、キーキャップおよび透明層を通過して、透明層を照らす。【選択図】図１
0003163704.tif 000002
【実用新案登録請求の範囲】
【請求項１】
バックライト光源の側面に配設されており、下面に複数のマイクロ構造が形成されている導光板と、
前記導光板の上面に配設されている基板と、
前記基板に配設されており、少なくとも１つの排気ノッチを有する薄膜回路基板と、
前記薄膜回路基板に配設されており、接触部分を有する弾性部と、
前記弾性部の上方に配設されており、透明材料から形成されているキーキャップと、
前記キーキャップに形成されている透明層と、
前記キーキャップと前記弾性部との間に配置されており、前記基板に対して相対的に移動するように前記キーキャップを誘導する上昇機構と
を備え、
前記バックライト光源が前記導光板の側面に光を照射すると、前記バックライト光源から発光されて、前記複数のマイクロ構造によって屈折させられた光は、前記キーキャップおよび前記透明層を通過するキーパッド構造。
【請求項２】
前記上昇機構は、
押し込みロッド、一対の旋回用突起、および第１の旋回部を含む第１のフレームと、
前記第１のフレームに接続され、摺動ロッド、一対の旋回用孔、および一対の第２の旋回部を含む第２のフレームと
を有し、
前記一対の旋回用突起が前記一対の旋回用孔の内部に枢設されている請求項１に記載のキーパッド構造。
【請求項３】
前記キーキャップは、一対の押し込みスロットおよび一対の摺動スロットを有し、
前記基板は、一対の第１の旋回部分および一対の第２の旋回部分を有し、
前記押し込みロッドは、前記一対の押し込みスロット内に押し込まれており、
前記摺動ロッドの２つの端部はそれぞれ前記一対の摺動スロット内に枢設されており、
前記第１の旋回部は前記一対の第１の旋回部分に枢設されており、
前記一対の第２の旋回部は、前記一対の第２の旋回部分に枢設されている請求項２に記載のキーパッド構造。
【請求項４】
前記導光板は、前記バックライト光源から発光された前記光を屈折させて局所的な照明を実現する鎖状構造を有し、前記鎖状構造は、複数の凹部を含む請求項１から３の何れか１項に記載のキーパッド構造。
【請求項５】
前記薄膜回路基板は、複数の排気ノッチを有する請求項１から４の何れか１項に記載のキーパッド構造。
【請求項６】
前記透明層は、
前記光を遮蔽するマスク層と、
保護するべく前記マスク層を被覆している保護層と
を有する請求項１から５の何れか１項に記載のキーパッド構造。
【請求項７】
前記マスク層は、前記光を透過させるための開口を含む請求項６に記載のキーパッド構造。
【請求項８】
前記開口は、レーザ技術を用いて形成される請求項７に記載のキーパッド構造。
【請求項９】
前記保護層は、透明膜から形成される請求項７または８に記載のキーパッド構造。
【請求項１０】
前記透明層は、前記キーパッドに対する接着強度を高める透明底面コーティング層を有し、前記マスク層は、前記保護層と前記透明底面コーティング層との間に配設される請求項７から９の何れか１項に記載のキーパッド構造。
【考案の詳細な説明】
【技術分野】
【０００１】
本考案は、キーパッド構造に関する。特に、光を屈折させる複数のマイクロ構造を備えており、パターンが透明で、照明を局所的にでき、且つ快適に操作できるといった利点があるキーパッド構造に関する。
【背景技術】
【０００２】
パターンおよび文字は従来、印刷方法によってキーパッド構造に形成される。キーパッド構造は光源を備えておらず、キーパッド構造のパターンおよび文字は透明ではないので、ユーザは、周囲が暗い状況では、キーパッド構造のパターンおよび文字を認識できない。また、キーキャップの弾性部と従来のキーパッド構造の回路基板との間には、排気ノッチが配設されていないので、弾性部が押圧される際に生じる空気抵抗のために、キーパッド構造を操作する際の使い心地が悪い。このため、上述した問題を解決する新型のキーパッド構造を設計することが、電子産業分野では重要な課題となっている。
【考案の概要】
【課題を解決するための手段】
【０００３】
上述した問題を解決するべく、本考案は、光を屈折させる複数のマイクロ構造を備えており、パターンが透明で、照明を局所的にでき、且つ快適に操作できるといった利点があるキーパッド構造を提供する。
【０００４】
請求項に記載の考案に係るキーパッド構造は、バックライト光源の側面に配設されている導光板を備え、当該導光板の下面には、複数のマイクロ構造が形成されている。当該キーパッド構造はさらに、導光板の上面に配設されている基板と、基板に配設されている薄膜回路基板とを備える。当該薄膜回路基板は、少なくとも１つの排気ノッチを有する。当該キーパッド構造はさらに、薄膜回路基板に配設されている弾性部を備え、当該弾性部は、接触部分を有する。当該キーパッド構造はさらに、弾性部の上方に配設されているキーキャップを備え、当該キーキャップは、透明材料から形成されている。当該キーパッド構造はさらに、キーキャップに形成されている透明層を備え、バックライト光源が導光板の側面に光を照射すると、バックライト光源から発光されて、複数のマイクロ構造によって屈折させられた光は、キーキャップおよび透明層を通過する。当該キーパッド構造はさらに、キーキャップと弾性部との間に配置されている上昇機構を備え、当該上昇機構は基板に対して相対的に移動するようにキーキャップを誘導する。
【０００５】
したがって、複数のマイクロ構造は、導光板の側面に設けられているバックライト光源７０が発光する光を、キーキャップに向けて屈折させて、キーキャップ上のパターンまたは文字を、明瞭に見えるように照らす。
【０００６】
以下ではさまざまな図面に図示されている好ましい実施形態を詳細に説明しているが、上記およびその他の本考案の目的は、以下の説明を参照することによって、当業者には明らかとなる。
【図面の簡単な説明】
【０００７】
【図１】本考案の好ましい実施形態に係るキーパッド構造を示す分解図である。
【図２】本考案の好ましい実施形態に係るキーパッド構造を示す組立図である。
【図３】本考案の好ましい実施形態に係る上昇機構を示す図である。
【図４】本考案の好ましい実施形態に係る上昇機構を示す分解図である。
【図５】本考案の実施形態に係るキーキャップを示す図である。
【図６】図５に示すＶＩ−ＶＩラインに沿ってキーキャップを示す断面図である。
【図７】本考案の別の実施形態に係るキーキャップを示す断面図である。
【図８Ａ】本考案の実施形態に係る、押圧されていない第１の位置のキーキャップを示す図である。
【図８Ｂ】本考案の実施形態に係る、押圧されている第２の位置のキーキャップを示す図である。
【図９】本考案の実施形態に係る、キーパッド構造を示す断面図である。
【図１０Ａ】本考案の実施形態に係る、ある形状の排気ノッチを示す図である。
【図１０Ｂ】本考案の実施形態に係る、ある形状の排気ノッチを示す図である。
【図１０Ｃ】本考案の実施形態に係る、ある形状の排気ノッチを示す図である。
【図１０Ｄ】本考案の実施形態に係る、ある形状の排気ノッチを示す図である。
【図１１】本考案の実施形態に係る導光板を示す図である。
【図１２】本考案の実施形態に係る導光板を別の方向から見た様子を示す図である。
【図１３】本考案の別の実施形態に係る導光板を示す図である。
【図１４】図１３の導光板をキーボードに応用した様子を示す図である。
【考案を実施するための形態】
【０００８】
図１および図２を参照して説明する。図１は、本考案の好ましい実施形態に係るキーパッド構造１を示す分解図である。図２は、本考案の好ましい実施形態に係るキーパッド構造１を示す組立図である。キーパッド構造１は、基板１０と、バックライト光源７０（図１１および１２参照）の側面に配設されている導光板２０とを備える。導光板２０の上面には、基板１０が配設されており、導光板２０の下面には複数のマイクロ構造２１が配設されている。キーパッド構造１はさらに、基板１０上に配設されている薄膜回路基板３０を備えており、薄膜回路基板３０は少なくとも１つの排気ノッチ３１を有する。キーパッド構造１はさらに、薄膜回路基板３０上に配設されている弾性部４０を備え、弾性部４０は接触部分４１を有する。キーパッド構造１はさらに、弾性部４０の上方に配設されているキーキャップ５０を備え、キーキャップ５０は透明材料から形成されているとしてよい。キーパッド構造１はさらに、キーキャップ５０上に形成されている透明層５１を備える。キーパッド構造１はさらに、キーキャップ５０と弾性部４０との間に配設されており、基板１０に対して相対的に移動するようにキーキャップ５０を誘導する上昇機構６０を備える。上昇機構６０は、押圧される際にキーキャップ５０を水平に維持して、キーキャップ５０が傾斜しないようにする。このため、バックライト光源７０から発光された光７１（図１１および１２参照）が導光板２０の側面に照射されると、光７１は、複数のマイクロ構造２１によって屈折させられて、キーキャップ５０を通過して透明層５１を照らす。
【０００９】
図３および図４を参照して説明する。図３は、本考案の好ましい実施形態に係る上昇機構６０を示す図である。図４は、本考案の好ましい実施形態に係る上昇機構６０を示す分解図である。上昇機構６０は、第１のフレーム６１および第２のフレーム６２を有する。第１のフレーム６１は、押し込みロッド６１１と、一対の旋回用突起６１２と、第１の旋回部６１３とを含む。第２のフレーム６２は、摺動ロッド６２１と、一対の旋回用孔６２２と、一対の第２の旋回部６２３とを含む。一対の旋回用突起６１２は、一対の旋回用孔６２２に枢設される。また、キーキャップ５０は、一対の押し込みスロット５０１と、一対の摺動スロット５０２とを有しており、基板１０は、一対の第１の旋回部分１０１と、一対の第２の旋回部分１０２とを有している。このため、押し込みロッド６１１の２つの端部はそれぞれ、一対の押し込みスロット５０１の内側に押し込まれ、摺動ロッド６２１の２つの端部はそれぞれ、一対の摺動スロット５９２に枢設され、第１の旋回部６１３の２つの端部はそれぞれ、一対の第１の旋回部分１０１に枢設され、一対の第２の旋回部６２３はそれぞれ、一対の第２の旋回部分１０２に枢設される。
【００１０】
また、キーキャップ５０は、透明性または半透明性の材料から形成されるとしてよい。図５および図６を参照しつつ説明する。図５は、本考案の実施形態に係るキーキャップ５０を示す図である。図６は、図５に示すＶＩ−ＶＩラインに沿ってキーキャップ５０を示す断面図である。透明層５１は、マスク層５１１と、当該マスク層５１１を保護するべく被覆している保護層５１２とから構成される。マスク層５１１および保護層５１２は、コーティング法によって形成されるとしてよい。マスク層５１１は、開口５１１Ａを含む。開口５１１Ａは、例えばレーザ技術を用いて形成してもよい。マスク層５１１は、開口５１１Ａで光を透過させている以外は、光を遮蔽している。例えば、開口５１１Ａの形状が、透明層５１のパターンを形成している。保護層５１２は、透明膜から形成されるとしてよい。図７を参照しつつ説明する。図７は、本考案の別の実施形態に係るキーキャップ５０を示す断面図である。透明層５１はさらに、マスク層５１１とキーキャップ５０との間の接着強度を高めるべく、透明底面コーティング層５１３を含むとしてよい。マスク層５１１は、保護層５１２と底面コーティング層５１３との間に配置される。
【００１１】
図８Ａおよび図８Ｂを参照して説明する。図８Ａは、本考案の実施形態に係る、押圧されていない第１の位置Ｐ１のキーキャップ５０を示す図である。図８Ｂは、本考案の実施形態に係る、押圧されている第２の位置Ｐ２のキーキャップ５０を示す図である。図８Ａに示すように、キーキャップ５０が押圧されていない場合、キーキャップ５０は第１の位置Ｐ１にあり、弾性部４０は薄膜回路基板３０から離間した位置にある。図８Ｂに示すように、キーキャップ５０が押圧されて第１の位置Ｐ１から第２の位置Ｐ２に移動すると、弾性部４０が圧縮されて、接触部分４１が薄膜回路基板３０に接触して、電気信号が出力される。キーキャップ５０が開放されると、弾性部４０の弾性力によって接触部分４１が薄膜回路基板３０から離れて、キーキャップ５０を押して第１の位置Ｐ１へと戻す。つまり、キーキャップ５０は、図８Ｂに示す第２の位置Ｐ２から、図８Ａに示す第１の位置Ｐ１へと移動する。
【００１２】
図９、図１０Ａ、図１０Ｂ、図１０Ｃ、および図１０Ｄを参照しつつ説明する。図９は、本考案の実施形態に係る、キーパッド構造１を示す断面図である。図１０Ａから図１０Ｄは、本考案の実施形態に係る、さまざまな形状の排気ノッチ３１を示す図である。薄膜回路基板３０の排気ノッチ３１は、弾性部４０の排気を早めることができるので、空気を圧縮する際の空気抵抗を低減して、ユーザにとって好ましい快適な操作が実現される。図１０Ａ、図１０Ｂ、図１０Ｃ、および図１０Ｄに示すように、薄膜回路基板３０の排気ノッチ３１の形状は、１スロット型、２スロット型、３スロット型、または４スロット型であってよく、実用時の要求に応じて決まる。
【００１３】
図１１および図１２を参照しつつ説明する。図１１および図１２は、本考案の実施形態に係る導光板２０をさまざまな方向から見た様子を示す図である。導光板２０の複数のマイクロ構造２１は、複数の円弧状突出部分であってよい。バックライト光源７０が発光した光７１が導光板２０の側面に照射されると、光７１はマイクロ構造２１によって上方向に屈折して、キーキャップ５０の透明層５１の開口５１１Ａを通過する。つまり、キーキャップ５０上のパターンまたは文字を照らす。このため、周囲の環境が暗い場合に、導光板２０の側面に対してバックライト光源７０から光７１が発光されて、キーキャップ５０上のパターンまたは文字を明瞭に読み取れるように照らす。
【００１４】
図１３および図１４を参照しつつ説明する。図１３は、本考案の別の実施形態に係る導光板２０を示す図である。図１４は、図１３の導光板２０をキーボードに応用した様子を示す図である。図１３に示すように、導光板２０はさらに鎖状構造２２を含むとしてよく、当該鎖状構造２２は、複数の凹部２２１を含む。バックライト光源７０が導光板２０の側面に対して光７１を発光すると、複数の凹部２２１は光７１を屈折させて、局所的に照らすことができる。図１４に示すように、鎖状構造２２のブロックによって、導光板２０の特定の領域のマイクロ構造２１は、光を屈折させて、局所的に照らすことができる。
【００１５】
先行技術とは対照的に、本考案はキーキャップ上のパターンまたは文字を照らすことができる。本考案は、複数のマイクロ構造を用いて、光をキーキャップ上のパターンあるいは文字、または、キーキャップ上の所定の領域に向かって屈折させるので、ユーザは周囲の環境が暗い場合でもキーパッド構造を操作できるという利点を得ることができる。また、本考案は、弾性部が圧縮された際に弾性部の内部の空気を排気する排気ノッチを備えるので、キーキャップが押圧される場合の空気抵抗が低減されて、ユーザによって好ましい快適な操作が実現される。さらに、排気ノッチの数は、実用時の要求に応じて設計が可能である。
【００１６】
本考案の教示内容から逸脱することなく、上述したデバイスおよび方法を数多くの点で変形および変更し得ることは、当業者であれば容易に想到する。
【図１】
0003163704.tif 000003
【図２】
0003163704.tif 000004
【図３】
0003163704.tif 000005
【図４】
0003163704.tif 000006
【図５】
0003163704.tif 000007
【図６】
0003163704.tif 000008
【図７】
0003163704.tif 000009
【図８Ａ】
0003163704.tif 000010
【図８Ｂ】
0003163704.tif 000011
【図９】
0003163704.tif 000012
【図１０Ａ】
0003163704.tif 000013
【図１０Ｂ】
0003163704.tif 000014
【図１０Ｃ】
0003163704.tif 000015
【図１０Ｄ】
0003163704.tif 000016
【図１１】
0003163704.tif 000017
【図１２】
0003163704.tif 000018
【図１３】
0003163704.tif 000019
【図１４】
0003163704.tif 000020